(57)【要約】本発明は、番組を有するチャンネルのサブセットを作成する方法（２００）とシステム（１００）に関するものであって、番組を有する少なくとも１つのチャンネルを含む複数のチャンネルを受信する（２１０）ステップと、前記複数のチャンネルから所定の数のチャンネルの少なくとも一部を符号化して（２１２）、前記所定の数の各チャンネルに対応する符号化された信号を供給するステップと、前記対応する符号化された各信号を処理し（２１４）、前記所定の数のチャンネルのうちでどのチャンネルが番組を含んでいるかを決定して、番組を有するチャンネルのサブセットを供給するステップと、チャンネルのサブセットをメモリ内に記憶する（２１６）ステップと、から成る。また、本発明は、所定のチャンネルにおけるオーディオ信号の少なくとも一部を分析して、前記所定のチャンネルのうちで番組を含んでいるチャンネルを決定するステップを含むこともある。
2005527123.tif 000002
【特許請求の範囲】
【請求項１】
複数のチャンネルから、番組を有するチャンネルのサブセット（ｓｕｂｓｅｔ：部分集合）を作成する方法であって、
複数のチャンネルが、番組（プログラミング）を有する少なくとも１つのチャンネルを含んでいる、前記複数のチャンネルを受信するステップと、
前記複数のチャンネルから所定の数のチャンネルの少なくとも一部を符号化して、前記所定の数の各チャンネルについて対応する符号化された信号を供給するステップと、
前記対応する符号化された各信号を処理し、所定の数のチャンネルのうちで番組を含んでいるチャンネルを決定し、番組を有するチャンネルのサブセットを供給するステップと、
前記チャンネルのサブセットをメモリ内に記憶するステップと、から成る前記方法。
【請求項２】
前記サブセットのチャンネルにのみ対応するチャンネルを出力するステップを更に含む請求項１記載の方法。  
【請求項３】
所定のチャンネルにおけるオーディオ信号の少なくとも一部を分析して、所定の数のチャンネルのうちで番組を含んでいるチャンネルを決定するステップを更に含む、請求項１記載の方法。
【請求項４】
対応する各符号化された信号が、Ｉ画像（ｉｎｔｒａ  ｐｉｃｔｕｒｅ：フレーム内／フィールド内符号化された画像）または非Ｉ画像（ｎｏｎ‐ｉｎｔｒａ  ｐｉｃｔｕｒｅ）から成るグループから選択される画像を含んでいるＭＰＥＧビデオ信号である、請求項１記載の方法。
【請求項５】
前記処理するステップが更に、ＭＰＥＧビデオ信号における非Ｉ画像のうちの少なくとも１つにおけるビット数を計数するステップと、ＭＰＥＧビデオ信号における非Ｉ画像のうちの少なくとも１つにおける動きベクトルを分析するステップと、ＭＰＥＧビデオ信号におけるＩ画像のうちの少なくとも１つの離散コサイン係数を分析するステップと、番組を含まない複数のチャンネルのうちの１つまたはそれ以上からサンプル画像を得て、該サンプル画像からの情報をメモリに記憶し、前記サンプル画像からの記憶された情報とＭＰＥＧビデオ信号におけるＩ画像のうちの少なくとも１つからの情報とを比較するステップと、から成るグループから選択されるステップのうち少なくとも１つまたはそれ以上を含む、請求項４記載の方法。
【請求項６】
前記符号化するステップが、複数の各チャンネルの少なくとも一部を符号化して前記複数の各チャンネルについて対応する符号化された信号を供給するステップを更に含む、請求項１記載の方法。
【請求項７】
チャンネルのサブセットが、該チャンネル・サブセット内のチャンネルを識別するための複数のチャンネル指標を含んでいる、請求項１記載の方法。
【請求項８】
複数のチャンネルから番組を有するチャンネルのサブセットを作成する方法であって、
複数のチャンネルが、番組を有する少なくとも１つのチャンネルを含んでいる、前記複数のチャンネルを受信するステップと、
複数のチャンネルから所定の数のチャンネルにおけるオーディオ信号の少なくとも一部を処理し、前記所定の数のチャンネルのうちで番組を含んでいるチャンネルを決定して、番組チャンネルのサブセットを供給するステップと、
前記番組チャンネルのサブセットをメモリ内に記憶するステップと、から成る前記方法。
【請求項９】
前記サブセットのチャンネルの番組（プログラミング)にビデオ内容が含まれている、請求項８記載の方法。
【請求項１０】
複数のチャンネルから番組を有するチャンネルのチャンネル指標のサブセットを作成するシステムにおいて、
複数のチャンネルが、番組を有する少なくとも１つのチャンネルを含んでいる、前記複数のチャンネルを受信する受信機と、
ビデオ・プロセッサであって、複数のチャンネルから所定の数のチャンネルの少なくとも一部を符号化し、所定の各チャンネルについて対応する符号化された信号を供給するようにプログラムされ、且つ符号化された各信号を処理し、所定の数のチャンネルのうちで番組を含んでいるチャンネルを決定して、チャンネル指標のサブセットを供給するようにプログラムされる、前記ビデオ・プロセッサと、
前記チャンネル指標のサブセットを記憶するメモリと、から成る前記システム。
【請求項１１】
メモリ内に記憶されたチャンネル指標のサブセットにのみ対応するチャンネルを供給する、請求項１０記載のシステム。
【請求項１２】
所定の数のチャンネルにおけるオーディオ信号の少なくとも一部を分析し、前記所定の数のチャンネルのうちで番組を含んでいるチャンネルを決定するためにオーディオ検出回路を更に含む、請求項１０記載のシステム。
【請求項１３】
符号化された各々の信号が、Ｉ画像（ｉｎｔｒａ  ｐｉｃｔｕｒｅ）かまたは非Ｉ画像（ｎｏｎ‐ｉｎｔｒａ  ｐｉｃｔｕｒｅ）から成るグループから選択される画像を含んでいるＭＰＥＧビデオ信号である、請求項１０記載のシステム。
【請求項１４】
ＭＰＥＧビデオ信号における非Ｉ画像のうちの少なくとも１つにおけるビット数を計数するステップと、
ＭＰＥＧビデオ信号における非Ｉ画像のうちの少なくとも１つにおける動きベクトルを分析するステップと、
ＭＰＥＧビデオ信号におけるＩ画像のうちの少なくとも１つの離散コサイン係数を分析するステップと、または
番組を含まない複数のチャンネルのうちの１つまたはそれ以上からサンプル画像を得て、該サンプル画像からの情報をメモリ内に記憶し、前記サンプル画像からの記憶された情報とＭＰＥＧビデオ信号におけるＩ画像のうちの少なくとも１つからの情報とを比較するステップと、から成るグループから選択されるステップのうちの１つまたはそれ以上を実行するようにビデオ・プロセッサが更にプログラムされる、請求項１３記載のシステム。
【請求項１５】
エンコーダが複数の各チャンネルの少なくとも一部を符号化して、前記複数の各チャンネルについて対応する符号化された信号を供給する、請求項１０記載のシステム。
【請求項１６】
複数のチャンネルから、番組（プログラミング）を有するチャンネルのサブセットを作成するシステムであって、
複数のチャンネルが、ビデオおよびオーディオを含む番組を有する少なくとも１つのチャンネルを含んでいる、前記複数のチャンネルを受信する受信機と、
複数のチャンネルから所定の数のチャンネルにおけるオーディオ信号の少なくとも一部を処理して、前記所定の数のチャンネルのうちで番組を含んでいるチャンネルを決定し、少なくともオーディオおよび／またはビデオを含んでいる番組（プログラム）チャンネルのサブセットを供給するためのオーディオ検出回路と、
前記番組チャンネルのサブセットを記憶するメモリと、から成る前記システム。
【請求項１７】
前記チャンネルのサブセットが、該チャンネルのサブセットにおけるチャンネルを識別するために複数のチャンネル指標を含んでいる、請求項１０記載のシステム。
【発明の詳細な説明】
【技術分野】
【０００１】
一般に、本発明は、ビデオ・システムに関し、特に、視聴者に表示される多数のチャンネルを含むビデオ信号を受信するビデオ・システムに関する。
【背景技術】
【０００２】
アナログ・ビデオ信号を受信する多くのテレビジョン受信機は、放送信号を実際に含んでいるチャンネルをメモリの中にプログラムすることができる。このようにして、テレビジョン受信機は、放送信号を含まないチャンネルを自動的に飛ばすことができるので、チャンネル・サーフィンに伴う遅延を排除することができる。このようなチャンネル飛ばしができるのは、従来のアナログ形式の信号を搬送しないチャンネルはランダム雑音（すなわち、「スノー」）だけを含むからである。従って、テレビジョン受信機は、実際に信号を搬送しているチャンネルと信号を搬送していないチャンネルとを素早く見分けることができる。
【０００３】
しかしながら、多数の視聴者は現在、ディジタルの衛星／ケーブル・テレビジョン・システムのようなディジタル放送システム（Ｄｉｇｉｔａｌ  Ｂｒｏａｄｃａｓｔ  Ｓｙｓｔｅｍ：ＤＢＳ）からビデオ信号を受信している。このようなシステムでは、一般に、プログラミング（ｐｒｏｇｒａｍｍｉｎｇ：番組）のプロバイダは、ディジタルの衛星／ケーブル放送を受信することができる受信ボックスを視聴者に供給する。受信ボックスは、受信されたディジタル信号をアナログ信号に変換してから、その信号をテレビジョン受信機またはＤＶＤレコーダのような記憶媒体装置に転送する。このディジタル信号は、とりわけ、著作権保護の目的でアナログ信号に変換される。
【０００４】
従来のアナログ信号とは対照的に、ディジタル放送の信号の各チャンネルは、複数のチャンネルのうち番組を配信していないチャンネルもあるが、ビデオ信号を含んでいる。例えば、衛星放送またはケーブル放送のようなディジタル放送の信号は、数十または数百のチャンネルで送信される多種多様な番組を提供する。しかしながら、各視聴者は全てのプログラミング(ｐｒｏｇｒａｍｍｉｎｇ：番組)チャンネルに加入する必要はない。しかしながら、視聴者が加入していないチャンネルについては、受信ボックスが通常出力するビデオ信号に静止画パターンが含まれ、それには、そのチャンネルを利用できないことに関するメッセージが含まれている。この信号には、特定のチャンネルに加入するための説明も含まれ、日付および時間の表示も含まれている。
【０００５】
ＤＢＳシステムから出力されるチャンネルには、番組を含んでいないチャンネルもビデオ信号を含んでいるので、テレビジョン受信機または記憶媒体装置は、番組を含んでいるチャンネルと含んでいないチャンネルとを見分けることができない。その結果、視聴者は所望の番組を見つけるために、このような「空白の」チャンネルをスクロール（ｓｃｒｏｌｌ）しなければならず、これらのチャンネルを機械的に飛ばすことができない。視聴者は番組のプロバイダが供給する相当な数のチャンネルの加入者ではないかも知れないので、これらの空白チャンネルをスクロールすると、かなりの遅延を生じる。従って、番組を含んでいないチャンネルのブラウジングによる遅延を排除するために、チャンネルを自動的に走査するシステムおよび方法が必要とされる。
【発明の開示】
【０００６】
（発明の概要）
本発明は、複数のチャンネルから、番組を有するチャンネルのサブセット（ｓｕｂｓｅｔ：部分集合）を作成する方法に関する。この方法は、番組を有するチャンネルを少なくとも１つ含む複数のチャンネルを受信するステップと、前記複数のチャンネルから所定の数のチャンネルの少なくとも一部を符号化し、前記所定の数のチャンネルの各々について、対応する符号化された信号を供給するステップと、前記対応する符号化された各信号を処理して、前記所定の数のチャンネルのうち番組を含んでいるチャンネルを決定して、チャンネルのサブセットを供給するステップと、前記チャンネルのサブセットをメモリに記憶するステップと、から成る。本発明の方法は更に、このサブセットのチャンネルにだけ対応するチャンネルを出力するステップを含んでいる。１つの構成例において、この方法は、所定のチャンネルにおけるオーディオ信号の少なくとも一部を分析して、所定の数のチャンネルのうちどのチャンネルが番組を含んでいるかを決定するステップを含んでいる。
【０００７】
１つの態様としては、符号化された各信号は、Ｉ画像（ｉｎｔｒａ  ｐｉｃｔｕｒｅ：フレーム内／フィールド内符号化画像）または非Ｉ画像（ｎｏｎ‐ｉｎｔｒａ  ｐｉｃｔｕｒｅ）から成るグループから選択される画像を含んでいるＭＰＥＧビデオ信号である。別の態様としては、前記処理するステップは更に、ＭＰＥＧビデオ信号の非Ｉ画像のうちの少なくとも１つにおけるビット数を計数するステップと、ＭＰＥＧビデオ信号の非Ｉ画像のうちの少なくとも１つにおける動きベクトルを分析するステップと、ＭＰＥＧビデオ信号のＩ画像のうちの少なくとも１つの離散コサイン係数を分析するステップと、番組を含まない複数のチャンネルのうちの１つまたはそれ以上からサンプル画像を得て、該サンプル画像からの情報をメモリに記憶し、そして前記サンプル画像からの記憶された情報とＭＰＥＧビデオ信号のＩ画像のうちの少なくとも１つからの情報とを比較するステップと、を含むグループから選択されるステップのうちの１つまたはそれ以上含んでいることがある。
【０００８】
別の構成例では、前記符号化するステップは更に、前記複数の各チャンネルの少なくとも一部を符号化し、前記複数の各チャンネルについて対応する符号化された信号を供給するステップを含んでいる。また、本発明は、複数のチャンネルから番組を有するチャンネルのサブセット（ｓｕｂｓｅｔ）を作成する方法に関するものであって、番組を有する少なくとも１つのチャンネルを含む複数のチャンネルを受信するステップと、前記複数のチャンネルから所定の数のチャンネルにおけるオーディオ信号の少なくとも一部を処理し、前記所定の数のチャンネルのうちで番組を含んでいるチャンネルを決定して、番組チャンネルのサブセットを供給するステップと、該番組チャンネルのサブセットをメモリに記憶するステップと、を含んでいる。このチャンネルのサブセットの番組は、ビデオ内容を含んでいることが好ましく、チャンネルのサブセットは、該サブセット内のチャンネルを識別するために、複数のチャンネル指標を含んでいることがある。
【０００９】
また、本発明は、複数のチャンネルから、番組を有するチャンネルについてのチャンネル指標のサブセットを作成するシステムに関するものであって、番組を有する少なくとも１つのチャンネルを含んでいる複数のチャンネルを受信する受信機と、前記複数のチャンネルから所定の数のチャンネルの少なくとも一部を符号化するようプログラムされるビデオ・プロセッサであって、所定の各チャンネルについて対応する符号化された信号を供給し、符号化された各信号を処理し、前記所定の数のチャンネルのうちで番組を含んでいるチャンネルを決定して、チャンネル指標のサブセットを供給する前記ビデオ・プロセッサと、前記チャンネル指標のサブセットを記憶するメモリと、を具える。また、本発明は、複数のチャンネルから、番組を有するチャンネルについてチャンネル指標のサブセットを作成するシステムに関するものであって、オーディオまたはビデオを含む番組を有する少なくとも１つのチャンネルを含む複数のチャンネルを受信する受信機と、複数のチャンネルから所定の数のチャンネルにおけるオーディオ信号の少なくとも一部を処理して、前記所定の数のチャンネルのうちで番組を含んでいるチャンネルを決定し、少なくともビデオまたはオーディオを含んでいる番組チャンネル指標のサブセットを供給するためのオーディオ検出回路と、前記番組チャンネル指標のサブセットを記憶するメモリと、を具える。また、本発明のシステムは、上述した方法を実現するのに適当なソフトウェアと回路を具えている。
【発明を実施するための最良の形態】
【００１０】
本発明の構成に従って、種々の高度な動作上の特徴を実現するシステム１００を図１にブロック図で示す。しかしながら、本発明は、図１に示す特定のシステムに限定されず、ビデオ信号を符号化することができる他の適当なシステムでも実施できる。システム１００は、受信機またはセットトップ・ボックス１１２、記憶媒体装置１１４、および表示装置１２２を含んでいる。記憶媒体装置１１４は、エンコーダ１１６、メモリ１１８、マイクロプロセッサ１２０、およびオーディオ検出回路１２４を含んでいる。エンコーダ１１６とマイクロプロセッサ１２０は集合的にビデオ・プロセッサ１２１と呼ぶこともできる。エンコーダ１１６とメモリ１１８とオーディオ検出回路１２４の動作をマイクロプロセッサ１２０に制御させるために、制御およびデータ・インタフェースを具えることもできる。これに代る別の構成において、表示装置１２２は、エンコーダ１１６、メモリ１１８、マイクロプロセッサ１２０およびオーディオ検出回路１２４を具えることができ、それによって、記憶媒体装置１１４を使用しないようにすることもできる。
【００１１】
図１に示すように、セットトップ・ボックス１１２は、１つまたはそれ以上の放送チャンネルを含む衛星送信またはケーブル送信のような、ディジタル放送の信号を受信することができる。一般に、セットトップ・ボックス１１２は、ディジタル信号をアナログ信号に変換し、このアナログ信号を記憶媒体装置１１４に転送する（システム１００が記憶媒体装置１１４を含んでいる場合には）。記憶媒体装置１１４は次に、この信号を表示装置１２２に送る。表示装置１２２は、アナログまたはディジタルのテレビジョン受信機のような、ディジタル放送の信号の中に入っているマルチメディア・データを表示するのに適当な装置である。
【００１２】
前述したように、これらのチャンネルのうちで、放送信号を有していても、プログラミング（番組）を含んでいないチャンネルも多数ある。明確にするために、このような非番組チャンネルから得られる表示を静止画パターンと称す。非番組チャンネルのブラウジング（ｂｒｏｗｓｉｎｇ）に伴う遅延を排除するために、記憶媒体装置１１４はこれらのチャンネルのうちの１つまたはそれ以上を処理して、入来するチャンネルのうちでどのチャンネルが番組を含んでいるかを決定することができる。１つの構成例において、エンコーダ１１４は、入来チャンネルのうちの１つまたはそれ以上の一部を符号化することができる。従って、これらのチャンネルの１つまたはそれ以上について符号化された信号を形成することができる。マイクロプロセッサ１２０は次に、どのチャンネルが実際に番組を含んでいるか、そしてどのチャンネルが静止画パターンを含んでいるかを決定するために、符号化されたこれらの信号のうちの１つまたはそれ以上の符号化信号の一部を処理することができる。マイクロプロセッサ１２０が、或るチャンネルが番組を含んでいることを決定すると、そのチャンネルの番号またはチャンネル指標がメモリ１１８内に記憶され、表示装置１２２によりアクセスすることができる。また、オーディオ検出回路１２４は、或る特定のチャンネルにオーディオが存在しているかどうかを決定することができる。一般に、番組を含んでいないチャンネルは、オーディオ信号を搬送していないので、オーディオを検出することにより、システム１００の精度を改善することができる。これに代る別の構成例では、オーディオ検出回路１２４はそれ自体によって、或るチャンネルが番組を含んでいるかどうかを決定することができる。
【００１３】
番組を有するチャンネルをメモリ１１８内に記憶することができるので、表示装置１２２は、これらのチャンネルだけを表示することができ、番組を有しないチャンネルを自動的に飛ばすことができる。この受信し、符号化し、処理し、そして１つまたはそれ以上のディジタル放送のチャンネルをメモリ内に記憶する、という処理過程を以下に更に詳しく説明する。
【００１４】
マイクロプロセッサ１２０により実行される従来のオペレーションのために、適当なソフトウェアまたはファームウェアをメモリ内に具えることができる。更に、本発明の構成に従って、プログラミング（番組）チャンネルのサブセット（ｓｕｂｓｅｔ）を作成するためのプログラム・ルーチンを、マイクロプロセッサ１２０用のメモリ内に具えることができる。１つの構成例において、マイクロプロセッサ１２０および本発明のシステム１００の他の関連する構成要素は、１つまたはそれ以上のディジタル放送のチャンネルを受信し、符号化し、処理して、メモリ内に記憶するために必要なステップを自動的に実行するようにプログラムすることができる。また、どのディジタル放送のチャンネルが実際にプログラミング（番組）を含んでいるかを決定するために、適当なハードウェア・コンポーネントまたはソフトウェア・プログラムにマイクロプロセッサ１２０の代わりに制御用ＣＰＵまたはコントローラがなり得ることは、当業者には理解できるであろう。
【００１５】
プログラミング・チャンネルのサブセットの作成：本発明の構成によれば、複数のチャンネルからプログラミング（番組）を有するチャンネルのサブセットを作成することができ、それによって、ビデオ・システムは番組を含まないチャンネルを自動的に飛ばすことができる。「チャンネルのサブセット」は、番組を含んでいるチャンネルを表すチャンネル番号またはチャンネル指標のサブセット（ｓｕｂｓｅｔ：部分集合）を意味する。複数のチャンネルが受信され、そのうちで１つまたはそれ以上のチャンネルは実際に番組を含んでいる。これらのチャンネルのうちで所定の数の一部は、Ｉ画像（ｉｎｔｒａ  ｐｉｃｔｕｒｅ）または非Ｉ画像  (ｎｏｎ‐ｉｎｔｒａ  ｐｉｃｔｕｒｅ)  に符号化され、これらのＩ画像と非Ｉ画像を処理して、これらの所定の数のチャンネルのうち、どのチャンネルが番組を含んでいるかを決定して、番組チャンネルのサブセットを供給することができる。この番組チャンネルのサブセットは次に、メモリ内に記憶され、それによって、表示装置は、番組を含んでいるチャンネルのみを表示することができる。
【００１６】
図２は、番組を有するチャンネルのサブセットを作成し、それによって、番組を有しないチャンネルを自動的に飛ばすことができる１つの方法を例示するフローチャート２００である。番組には、ビデオ、オーディオまたはその組み合せが含まれる。ステップ２１０で、複数のチャンネルを受信することができる。１つの構成例において、これらのチャンネルは、ケーブルまたは衛星放送のような、ディジタル放送の信号のチャンネルである。しかしながら、本発明は、これに限定されず、放送信号を搬送する複数のチャンネル（そのうち１つまたはそれ以上のチャンネルは番組を配信しない）を含んでいる他の信号も受信することができる。
【００１７】
ステップ２１２で、これら複数のチャンネルのうち所定の数のチャンネルの一部を符号化し、この所定の数の各チャンネルについて、対応する符号化された信号を供給することができる。これら複数のチャンネルのうちの任意の数のチャンネル（複数の全てのチャンネルを含む）でも符号化することができる。１つの構成例において、所定の数の各チャンネルの一部をＩ（ｉｎｔｒａ）画像または非Ｉ（ｎｏｎ‐ｉｎｔｒａ）画像のようなＭＰＥＧ形式の画像に符号化することによって、符号化のステップを実行することができる。非Ｉ画像には、Ｐ（予測）画像（ｐｒｅｄｉｃｔｉｖｅ  ｐｉｃｔｕｒｅ）あるいはＢ（双方向予測）画像（ｂｉ‐ｄｉｒｅｃｔｉｏｎａｌ  ｐｒｅｄｉｃｔｉｖｅ  ｐｉｃｔｕｒｅ）が含まれる。符号化された信号は、Ｉ画像または非Ｉ画像を任意の数でも含むことができる。事実、符号化された信号は、単一のＩ画像、単一のＩ画像と単一の非Ｉ画像、または幾つかのＩマクロブロックを含むＰ画像のような単一の非Ｉ画像に限定される。しかしながら、以下に説明するように、本発明の精度は、符号化された各信号について、符号化された画像の数が増加するにつれて改善される。
【００１８】
ステップ２１４で、符号化された各信号を処理して、所定の数のチャンネルのうちどのチャンネルが番組を含んでいるかを決定する。番組を含んでいるチャンネルと含んでいないチャンネルとが見分けられると、番組を有するチャンネルのサブセットを作成することができる。１つの構成例で、符号化ステップで作成された画像を処理して、画像が符号化されたチャンネルに番組が含まれているかどうかを確かめる。
【００１９】
一例として、非Ｉ画像が符号化された信号に１つまたはそれ以上含まれていれば、これらの非Ｉ画像におけるビット数を計数することができる。そのビット数が、典型的な非Ｉ画像より、例えば２０％少なければ、その符号化された信号は番組を配信していないディジタル放送の信号である可能性が高い。このように決定できるのは、この形式の信号からの非Ｉ画像は符号化された情報をほんの僅かしか含んでいないからであり、その信号表示は、ほとんど変動しない。しかしながら、本発明は、上述した特定の例に限定されず、非Ｉ画像が、非番組チャンネル（ｎｏｎ‐ｐｒｏｇｒａｍｍｉｎｇ  ｃｈａｎｎｅｌ：番組を含まないチャンネル）からのものであるかどうかを確かめるために、他のしきい値（ｔｈｒｅｓｈｏｌｄｓ）を使用することもできる。
【００２０】
別の構成例では、符号化された信号において、１つまたはそれ以上の非Ｉ（ｎｏｎ‐ｉｎｔｒａ）画像における動きベクトルを分析して、或る特定の信号が静止画パターンを含んでいるかどうかを決定することができる。もし、全ての動きベクトルがゼロまたはゼロに近い値を有するならば、動きベクトルが測定されているその非Ｉ画像は、静止画パターンを搬送している信号からのものである可能性が高い。本発明の精度を高めるために、より多数のこれらの非Ｉ画像を上に挙げた例に従って検査することができる。しかしながら、本発明は、上記の例に限定されず、非Ｉ画像を処理する他の適当な手段を使用して、これら複数のチャンネルのうちどのチャンネルが番組を含んでいるかを決定することができる。
【００２１】
別の構成例では、符号化された各信号における１つまたはそれ以上のＩ画像を処理して、静止画パターンを含んでいる信号を排除することができる。特に、各Ｉ画像における離散コサイン変換（ＤＣＴ）係数を検査することができる、或るＩ画像における多数のマクロブロックにおいて、ＤＣＴ交流（ａｃ）係数がゼロまたは実質的にゼロであれば、そのＩ画像は、静止画パターンを搬送している符号化された信号からのものである可能性が高い。別の構成例では、１つまたはそれ以上の非番組チャンネルからのサンプル画像中に含まれている各マクロブロックについて、ＤＣＴ‐ａｃ係数値に関連する情報をメモリ内に記憶することができる。その後、分析されているＩ画像中に含まれているマクロブロックの全てまたは一部のＤＣＴ‐ａｃ係数を、メモリ内に記憶されたサンプル画像のＤＣＴ‐ａｃ情報と比較することができる。分析されているＩ画像中に含まれているマクロブロックのＤＣＴ‐ａｃ係数と、検査されている特定のチャンネルからのサンプル画像中に含まれているマクロブロックのＤＣＴ‐ａｃ係数との間に相関があれば、そのＩ画像は非番組チャンネルからのものである可能性が高い。別の構成例では、１つまたはそれ以上の非番組チャンネルからサンプル画像を取り出すことができ、これらのサンプル画像から得られる他の関連情報をメモリ内に記憶することができる。一例として、これらの各サンプル画像におけるビット数を計数してメモリ内に記憶することができる。その後、分析されているＩ画像からのビット数を計数して、対応するサンプル画像中に含まれるビット数と比較することができる（対応するサンプル画像は、分析されているＩ画像の発生源であるチャンネルから取り出されたサンプル画像である）。特定のＩ画像におけるビット数が、所定のしきい値以内に、例えば、そのサンプル画像中に含まれているビット数の２０％以内にあれば、そのＩ画像は番組を含んでいないチャンネルからのものである可能性が高い。本発明は、この特定の例に限定されず、Ｉ画像が非番組チャンネルからのものであるかどうかを確かめるために、他の適当なしきい値を使用することもできる。
【００２２】
非Ｉ画像と同様に、上記の例に従って、より多数のＩ画像を処理することにより、本発明の精度が高められる。また、本発明は、これらの例に限定されず、Ｉ画像を処理する他の適当な手段を使用して、複数のチャンネルのうちで番組を含んでいるのはどのチャンネルかを確かめることもできる。更に、もし符号化された信号が、Ｉ画像と非Ｉ画像の両方を含んでいるならば、上述した例または他の適当な手段に従って、１つまたはそれ以上のＩ画像および非Ｉ画像を処理することができ、Ｉ画像と非Ｉ画像の両方を検査するこの処理過程も本発明の精度を高める。
【００２３】
ステップ２１４を続けて、番組を含むチャンネルが番組を含まないチャンネルから分離されると、番組を含むチャンネルは合成されて、番組を含むチャンネルのサブセットを形成する。ステップ２１６に示すように、このチャンネルのサブセットはメモリ内に記憶することができる。１つの構成例では、チャンネルのサブセットは、１つまたはそれ以上のチャンネル指標となり、メモリ内に記憶される。例えば、このチャンネル指標はチャンネル番号となるか、または特定のチャンネルを識別するのに適当な手段となることが好ましい。ステップ２１８で、これらのチャンネル指標が表示装置に供給される。表示装置は、番組を含んでいるチャンネルのサブセットにアクセスできるので、表示装置は番組を配信していないチャンネルを飛ばすことができ、それによって、これらの非番組チャンネルのブラウジングに関連する遅延を排除することができる。更に、１つまたはそれ以上のチャンネルの状態が変化すると、例えば、以前に番組を配信していなかったチャンネルに番組が付加されると、チャンネルのサブセットからチャンネルを追加（または削除）するために、このプロセスを再開させることができる。
【００２４】
別の構成例において、複数のチャンネのうちの１つまたはそれ以上のオーディオを処理して、どのチャンネルが番組を含んでいるか確かめることができる。一般に、番組を有しないチャンネルは、オーディオを搬送していない。従って、各チャンネルのオーディオ・レベルを検査して、番組を有しないチャンネルを、番組を有するチャンネルから分離できる。各チャンネル内にあるオーディオ・レベルを検査するこのプロセスはもっぱら、番組を有するチャンネルのサブセットの作成に使用することができ、あるいは、フローチャート２００で述べたプロセスを補足するのに使用することができる。
【００２５】
本発明は、本明細書で開示された実施例に関連して説明されたが、この説明は例示を目的とするものであって、特許請求の範囲に記載の本発明の範囲を制限するものではない。
【図面の簡単な説明】
【００２６】
【図１】本発明の構成に従って、プログラミング（番組）チャンネル指標のサブセットを作成できるシステムのブロック図である。
【図２】本発明の構成に従って、プログラミング・チャンネル指標のサブセット作成の動作を説明するフローチャートである。
【図１】
2005527123.tif 000003
【図２】
2005527123.tif 000004
【手続補正書】
【提出日】平成15年5月27日(2003.5.27)
【手続補正１】
【補正対象書類名】特許請求の範囲
【補正対象項目名】全文
【補正方法】変更
【補正の内容】
【特許請求の範囲】
【請求項１】
複数のチャンネルから、番組を有するチャンネルのサブセットを作成する方法であって、
複数のチャンネルが、番組を有する少なくとも１つのチャンネルを含んでいる、前記複数のチャンネルを受信するステップと、
前記複数のチャンネルから所定の数のチャンネルの少なくとも一部を符号化して、前記所定の数の各チャンネルについて対応する符号化された信号を供給するステップと、
前記対応する符号化された各信号を処理し、所定の数のチャンネルのうちで番組を含んでいるチャンネルを決定し、番組を有するチャンネルのサブセットを供給するステップと、
前記チャンネルのサブセットをメモリ内に記憶するステップと、から成る前記方法。
【請求項２】
前記サブセットのチャンネルにのみ対応するチャンネルを出力するステップを更に含む、請求項１記載の方法。  
【請求項３】
所定のチャンネルにおけるオーディオ信号の少なくとも一部を分析して、所定の数のチャンネルのうちで番組を含んでいるチャンネルを決定するステップを更に含む、請求項１記載の方法。
【請求項４】
対応する各符号化された信号が、Ｉ画像（ｉｎｔｒａ  ｐｉｃｔｕｒｅ：フレーム内／フィールド内符号化された画像）または非Ｉ画像（ｎｏｎ‐ｉｎｔｒａ  ｐｉｃｔｕｒｅ）から成るグループから選択される画像を含んでいるＭＰＥＧビデオ信号である、請求項１記載の方法。
【請求項５】
前記処理するステップが更に、ＭＰＥＧビデオ信号における非Ｉ画像のうちの少なくとも１つにおけるビット数を計数するステップと、ＭＰＥＧビデオ信号における非Ｉ画像のうちの少なくとも１つにおける動きベクトルを分析するステップと、ＭＰＥＧビデオ信号におけるＩ画像のうちの少なくとも１つの離散コサイン係数を分析するステップと、番組を含まない複数のチャンネルのうちの１つまたはそれ以上からサンプル画像を得て、該サンプル画像からの情報をメモリに記憶し、前記サンプル画像からの記憶された情報とＭＰＥＧビデオ信号におけるＩ画像のうちの少なくとも１つからの情報とを比較するステップと、から成るグループから選択されるステップのうち少なくとも１つまたはそれ以上を含む、請求項４記載の方法。
【請求項６】
前記符号化するステップが、複数の各チャンネルの少なくとも一部を符号化し、前記複数の各チャンネルについて、対応する符号化された信号を供給するステップを更に含む、請求項１記載の方法。
【請求項７】
チャンネルのサブセットが、該チャンネル・サブセット内のチャンネルを識別するための複数のチャンネル指標を含んでいる、請求項１記載の方法。
【請求項８】
複数のチャンネルから番組を有するチャンネルのサブセットを作成する方法であって、
複数のチャンネルが、番組を有する少なくとも１つのチャンネルを含んでいる、前記複数のチャンネルを受信するステップと、
前記複数のチャンネルから所定の数のチャンネルの少なくとも一部を符号化して、前記所定の数の各チャンネルについて対応する符号化された信号を供給するステップと、
複数のチャンネルから所定の数のチャンネルにおける対応する符号化された信号のうちの少なくとも一つあるいはオーディオ信号の少なくとも一部を処理し、前記所定の数のチャンネルのうちで番組を含んでいるチャンネルを決定して、番組チャンネルのサブセットを供給するステップと、
前記番組チャンネルのサブセットをメモリ内に記憶するステップと、から成る前記方法。
【請求項９】
前記サブセットのチャンネルの番組にビデオ内容が含まれている、請求項８記載の方法。
【請求項１０】
複数のチャンネルから番組を有するチャンネルのチャンネル指標のサブセットを作成するシステムであって、
複数のチャンネルが、番組を有する少なくとも１つのチャンネルを含んでいる、前記複数のチャンネルを受信する受信機と、
ビデオ・プロセッサであって、複数のチャンネルから所定の数のチャンネルの少なくとも一部を符号化し、所定の各チャンネルについて、対応する符号化された信号を供給するようにプログラムされ、且つ符号化された各信号を処理し、所定の数のチャンネルのうちで番組を含んでいるチャンネルを決定し、チャンネル指標のサブセットを供給するようにプログラムされる、前記ビデオ・プロセッサと、
前記チャンネル指標のサブセットを記憶するメモリと、から成る前記システム。
【請求項１１】
メモリ内に記憶されたチャンネル指標のサブセットにのみ対応するチャンネルを供給する、請求項１０記載のシステム。
【請求項１２】
所定の数のチャンネルにおけるオーディオ信号の少なくとも一部を分析し、前記所定の数のチャンネルにうちで、番組を含んでいるチャンネルを決定するためのオーディオ検出回路を更に含む、請求項１０記載のシステム。
【請求項１３】
符号化された各々の信号が、Ｉ画像（ｉｎｔｒａ  ｐｉｃｔｕｒｅ）かまたは非Ｉ画像（ｎｏｎ‐ｉｎｔｒａ  ｐｉｃｔｕｒｅ）から成るグループから選択される画像を含んでいるＭＰＥＧビデオ信号である、請求項１０記載のシステム。
【請求項１４】
ＭＰＥＧビデオ信号における非Ｉ画像のうちの少なくとも１つにおけるビット数を計数するステップと、
ＭＰＥＧビデオ信号における非Ｉ画像のうちの少なくとも１つにおける動きベクトルを分析するステップと、
ＭＰＥＧビデオ信号におけるＩ画像のうちの少なくとも１つの離散コサイン係数を分析するステップと、または
番組を含まない複数のチャンネルのうちの１つまたはそれ以上からサンプル画像を得て、該サンプル画像からの情報をメモリ内に記憶し、前記サンプル画像からの記憶された情報とＭＰＥＧビデオ信号におけるＩ画像のうちの少なくとも１つからの情報とを比較するステップと、から成るグループから選択されるステップのうちの１つまたはそれ以上を実行するようにビデオ・プロセッサが更に組み込まれる、請求項１３記載のシステム。
【請求項１５】
エンコーダが複数の各チャンネルの少なくとも一部を符号化し、前記複数の各チャンネルについて、対応する符号化された信号を供給する、請求項１０記載のシステム。
【請求項１６】
複数のチャンネルから、番組を有するチャンネルのサブセットを作成するシステムであって、
複数のチャンネルが、ビデオ信号およびオーディオ信号を含む番組を有する少なくとも１つのチャンネルを含んでいる、前記複数のチャンネルを受信する受信機と、
前記複数のチャンネルから、所定の数のチャンネルの少なくとも一部を符号化し、対応する符号化された信号を、前記所定の数の各チャンネルについて供給するエンコーダと、
前記複数のチャンネルから前記所定の数のチャンネルにおけるオーディオ信号の少なくとも一部を処理するオーディオ検出回路と前記エンコーダのうち、少なくとも１つを使用するプロセッサであって、前記所定の数のチャンネルのうちで番組を含んでいるチャンネルを決定して、少なくともオーディオ信号および／またはビデオ信号を含んでいる番組チャンネルのサブセットを供給する前記プロセッサと、
前記番組チャンネルのサブセットを貯えるメモリと、から成る前記システム。  
【請求項１７】
前記チャンネルのサブセットが、該チャンネルのサブセットにおけるチャンネルを識別するために、複数のチャンネル指標を含んでいる、請求項１０記載のシステム。
【国際調査報告】
2005527123.tif 000005
2005527123.tif 000006
2005527123.tif 000007
2005527123.tif 000008
2005527123.tif 000009